(57)【要約】【課題】セキュリティを確保しつつ、情報処理装置から情報処理端末に対して各種の情報を発信することができるようにする。【解決手段】携帯機器１と電気機器５の間では、赤外線による無線通信を介して暗号鍵の登録が予め行われる。電気機器５には携帯機器１のユーザの嗜好情報と、EPG情報が管理されており、それらの情報に基づいて電気機器５によりおすすめ番組が選択される。選択されたおすすめ番組の情報は、暗号鍵を用いて暗号化され、メールにより携帯機器１に送信される。携帯機器１においては、おすすめ番組が画面上に表示される。おすすめ番組の中から番組が選択されたとき、選択された番組の録画予約を要求するメールが携帯機器１から電気機器１に返信され、電気機器５において、番組の録画予約が設定される。本発明は、携帯電話機やPDAなどの携帯機器、ビデオ録画装置やテレビジョン受信機などの電気機器に適用することができる。【選択図】図１
2005086258.tif 000002
【特許請求の範囲】
【請求項１】
情報処理装置と情報処理端末からなる制御システムにおいて、
前記情報処理装置は、
前記情報処理端末に送信する電子メールに含まれる情報を暗号化する場合、および、前記情報処理端末から送信されてくる電子メールに含まれる暗号化された情報を復号する場合に用いる第１の鍵情報を取得する第１の取得手段と、
前記情報処理端末のユーザに提示する所定の情報を前記第１の鍵情報を用いて暗号化し、電子メールに含めて前記情報処理端末に送信する第１の送信手段と、
前記第１の送信手段により送信された電子メールに対して、前記情報処理端末から電子メールが返信されてきたとき、返信されてきた電子メールに含まれる暗号化された情報を前記第１の鍵情報を用いて復号し、その内容に応じて所定の処理を行う処理手段と
を備え、
前記情報処理端末は、
前記情報処理装置に送信する電子メールに含まれる情報を暗号化する場合、および、前記情報処理装置から送信されてくる電子メールに含まれる暗号化された情報を復号する場合に用いる第２の鍵情報を取得する第２の取得手段と、
前記情報処理装置から電子メールが送信されてきたとき、電子メールに含まれる暗号化された情報を前記第２の鍵情報を用いて復号し、復号して得られる所定の情報をユーザに提示する提示手段と、
前記提示手段による前記所定の情報の提示に対して行われるユーザからの入力に基づいて、前記情報処理装置に所定の処理を実行させるための電子メールを前記情報処理装置に返信する第２の送信手段と
を備えることを特徴とする制御システム。
【請求項２】
情報処理端末との間で電子メールの送受信を行う情報処理装置において、
前記情報処理端末に送信する電子メールに含まれる情報を暗号化する場合、および、前記情報処理端末から送信されてくる電子メールに含まれる暗号化された情報を復号する場合に用いる鍵情報を取得する取得手段と、
前記情報処理端末のユーザに提示する所定の情報を前記鍵情報を用いて暗号化し、電子メールに含めて前記情報処理端末に送信する送信手段と、
前記送信手段により送信された電子メールに対して、前記情報処理端末から電子メールが返信されてきたとき、返信されてきた電子メールに含まれる暗号化された情報を前記鍵情報を用いて復号し、その内容に応じて所定の処理を行う処理手段と
を備えることを特徴とする情報処理装置。
【請求項３】
前記取得手段は、前記情報処理端末との間で赤外線を用いて行われる無線通信、または、電磁誘導を用いて行われる非接触の無線通信を介して前記鍵情報を取得する
ことを特徴とする請求項２に記載の情報処理装置。
【請求項４】
前記送信手段は、前記情報処理端末に実行させるアプリケーションの提供元を表すアドレスを、電子メールにさらに含めて前記情報処理端末に送信する
ことを特徴とする請求項２に記載の情報処理装置。
【請求項５】
前記情報処理端末のユーザの嗜好に関する嗜好情報を管理する管理手段をさらに備え、
前記送信手段は、電子番組表情報に含まれる番組の中から前記嗜好情報に基づいて選択した番組の情報を、ユーザに提示する前記所定の情報として前記鍵情報を用いて暗号化し、電子メールに含めて前記情報処理端末に送信する
ことを特徴とする請求項２に記載の情報処理装置。
【請求項６】
情報処理端末との間で電子メールの送受信を行う情報処理装置の情報処理方法において、
前記情報処理端末に送信する電子メールに含まれる情報を暗号化する場合、および、前記情報処理端末から送信されてくる電子メールに含まれる暗号化された情報を復号する場合に用いる鍵情報を取得する取得ステップと、
前記情報処理端末のユーザに提示する所定の情報を前記鍵情報を用いて暗号化し、電子メールに含めて前記情報処理端末に送信する送信ステップと、
前記送信ステップの処理により送信された電子メールに対して、前記情報処理端末から電子メールが返信されてきたとき、返信されてきた電子メールに含まれる暗号化された情報を前記鍵情報を用いて復号し、その内容に応じて所定の処理を行う処理ステップと
を含むことを特徴とする情報処理方法。
【請求項７】
情報処理端末との間で電子メールの送受信を行う処理をコンピュータに実行させるプログラムにおいて、
前記情報処理端末に送信する電子メールに含まれる情報を暗号化する場合、および、前記情報処理端末から送信されてくる電子メールに含まれる暗号化された情報を復号する場合に用いる鍵情報を取得する取得ステップと、
前記情報処理端末のユーザに提示する所定の情報を前記鍵情報を用いて暗号化し、電子メールに含めて前記情報処理端末に送信する送信ステップと、
前記送信ステップの処理により送信された電子メールに対して、前記情報処理端末から電子メールが返信されてきたとき、返信されてきた電子メールに含まれる暗号化された情報を前記鍵情報を用いて復号し、その内容に応じて所定の処理を行う処理ステップと
を含むことを特徴とするプログラム。
【請求項８】
情報処理装置との間で電子メールの送受信を行う情報処理端末において、
前記情報処理装置に送信する電子メールに含まれる情報を暗号化する場合、および、前記情報処理装置から送信されてくる電子メールに含まれる暗号化された情報を復号する場合に用いる鍵情報を取得する取得手段と、
前記情報処理装置から電子メールが送信されてきたとき、電子メールに含まれる暗号化された情報を前記鍵情報を用いて復号し、復号して得られる所定の情報をユーザに提示する提示手段と、
前記提示手段による前記所定の情報の提示に対して行われるユーザからの入力に基づいて、前記情報処理装置に所定の処理を実行させるための電子メールを前記情報処理装置に返信する送信手段と
を備えることを特徴とする情報処理端末。
【請求項９】
前記取得手段は、前記情報処理装置との間で赤外線を用いて行われる無線通信、または、電磁誘導を用いて行われる非接触の無線通信を介して前記鍵情報を取得する
ことを特徴とする請求項８に記載の情報処理端末。
【請求項１０】
前記情報処理装置から送信されてくる電子メールに、実行するアプリケーションの提供元を表すアドレスが含まれている場合、
前記提示手段は、前記提供元から提供される前記アプリケーションに従って、前記所定の情報をユーザに提示する
ことを特徴とする請求項８に記載の情報処理端末。
【請求項１１】
復号して得られる前記所定の情報が、電子番組表情報に含まれる番組の中からユーザの嗜好に関する嗜好情報に基づいて前記情報処理装置により選択された番組の情報である場合、
前記送信手段は、ユーザにより指定された番組の録画予約を設定させるための電子メールを前記情報処理装置に返信する
ことを特徴とする請求項８に記載の情報処理端末。
【請求項１２】
情報処理装置との間で電子メールの送受信を行う情報処理端末の情報処理方法において、
前記情報処理装置に送信する電子メールに含まれる情報を暗号化する場合、および、前記情報処理装置から送信されてくる電子メールに含まれる暗号化された情報を復号する場合に用いる鍵情報を取得する取得ステップと、
前記情報処理装置から電子メールが送信されてきたとき、電子メールに含まれる暗号化された情報を前記鍵情報を用いて復号し、復号して得られる所定の情報をユーザに提示する提示ステップと、
前記提示ステップの処理による前記所定の情報の提示に対して行われるユーザからの入力に基づいて、前記情報処理装置に所定の処理を実行させるための電子メールを前記情報処理装置に返信する送信ステップと
を含むことを特徴とする情報処理方法。
【請求項１３】
情報処理装置との間で電子メールの送受信を行う処理をコンピュータに実行させるプログラムにおいて、
前記情報処理装置に送信する電子メールに含まれる情報を暗号化する場合、および、前記情報処理装置から送信されてくる電子メールに含まれる暗号化された情報を復号する場合に用いる鍵情報を取得する取得ステップと、
前記情報処理装置から電子メールが送信されてきたとき、電子メールに含まれる暗号化された情報を前記鍵情報を用いて復号し、復号して得られる所定の情報をユーザに提示する提示ステップと、
前記提示ステップの処理による前記所定の情報の提示に対して行われるユーザからの入力に基づいて、前記情報処理装置に所定の処理を実行させるための電子メールを前記情報処理装置に返信する送信ステップと
を含むことを特徴とするプログラム。
【発明の詳細な説明】
【技術分野】
【０００１】
本発明は、制御システム、情報処理装置および方法、情報処理端末および方法、並びにプログラムに関し、特に、セキュリティを確保しつつ、情報処理装置から情報処理端末に対して各種の情報を発信することができるようにする制御システム、情報処理装置および方法、情報処理端末および方法、並びにプログラムに関する。
【背景技術】
【０００２】
近年、ネットワークの常時接続環境が普及しつつあることから、テレビジョン受像機やビデオ録画装置等のいわゆる家電と呼ばれる電気機器の中にも、インターネットへの接続機能を備えるものが販売され始めている。この機能により、ユーザは、携帯電話機やPDA(Personal Digital Assistants)などの携帯機器を用いて、自宅にある電気機器をインターネット経由で遠隔操作することなどが可能になっている。例えば、携帯機器から電気機器にテレビジョン番組の録画予約を設定することや、電気機器の状態を携帯機器の画面上で確認することなどが各種提案され、また、一部の操作は既に実現可能なものになっている。
【０００３】
例えば、特許文献１には、そのような携帯機器から電気機器を遠隔操作することを、メール（電子メール）を利用することで実現することが開示されている。具体的には、定型のコマンドが本文に添付されたメールが携帯機器から電気機器に送信されることで電気機器の遠隔操作が実現されている。
【０００４】
また、通常のメールは、その内容が第三者により閲覧、改竄等されるおそれがあり、その場合、電気機器が勝手に操作されたり、個人情報が漏洩したりすることから、特許文献２には、携帯機器から送信されるメールに暗号化された識別情報を付加し、その識別情報を電気機器側で認証するようにした技術が開示されている。
【特許文献１】特開２００１−３３３４６５号公報
【特許文献２】特開平１０−２８９２０５号公報
【発明の開示】
【発明が解決しようとする課題】
【０００５】
しかしながら、特許文献１，２に開示されている電気機器の遠隔操作は、常に、携帯機器から電気機器に対する処理をきっかけとして、録画予約の設定等の処理が開始されるという課題があった。すなわち、電気機器を遠隔操作するためには、ユーザは、電気機器にメールを送るなどの所定の操作を携帯機器から自発的に行わなければならない。
【０００６】
仮に、電気機器からのアクションをきっかけとして、携帯機器から電気機器を遠隔操作することができるとすれば、遠隔操作を開始するための所定の操作をユーザが自発的に行う必要がないことはもとより、それを適用した各種の機能により、ユーザの利便性が向上することが期待できる。例えば、ユーザが電気機器の電源を消し忘れた場合や、ユーザの留守中に電気機器が勝手に操作された場合に、そのことが電気機器から携帯機器に通知されることにより、ユーザは、電気機器からの通知に応じて携帯機器から電気機器を遠隔操作し、電源をオフにしたり、電気機器の操作を停止させたりすることができる。
【０００７】
また、このような電気機器から携帯機器に対する通知に対して、特許文献２に開示されているようにして認証を行うとした場合、専用の認証機能を携帯機器側にも用意する必要があるという課題もある。
【０００８】
本発明はこのような状況に鑑みてなされたものであり、自宅などに設置されている電気機器からユーザが携帯している携帯機器に対して、セキュリティを確保しつつ、各種の情報を発信することができるようにするものである。また、本発明は、電気機器からの発信をきっかけとして、携帯機器から電気機器を遠隔制御することができるようにするものである。
【課題を解決するための手段】
【０００９】
本発明の制御システムの情報処理装置は、情報処理端末に送信する電子メールに含まれる情報を暗号化する場合、および、情報処理端末から送信されてくる電子メールに含まれる暗号化された情報を復号する場合に用いる第１の鍵情報を取得する第１の取得手段と、情報処理端末のユーザに提示する所定の情報を第１の鍵情報を用いて暗号化し、電子メールに含めて情報処理端末に送信する第１の送信手段と、第１の送信手段により送信された電子メールに対して、情報処理端末から電子メールが返信されてきたとき、返信されてきた電子メールに含まれる暗号化された情報を第１の鍵情報を用いて復号し、その内容に応じて所定の処理を行う処理手段とを備えることを特徴とする。
【００１０】
また、本発明の制御システムの情報処理端末は、情報処理装置に送信する電子メールに含まれる情報を暗号化する場合、および、情報処理装置から送信されてくる電子メールに含まれる暗号化された情報を復号する場合に用いる第２の鍵情報を取得する第２の取得手段と、情報処理装置から電子メールが送信されてきたとき、電子メールに含まれる暗号化された情報を第２の鍵情報を用いて復号し、復号して得られる所定の情報をユーザに提示する提示手段と、提示手段による所定の情報の提示に対して行われるユーザからの入力に基づいて、情報処理装置に所定の処理を実行させるための電子メールを情報処理装置に返信する第２の送信手段とを備えることを特徴とする。
【００１１】
本発明の情報処理装置は、情報処理端末に送信する電子メールに含まれる情報を暗号化する場合、および、情報処理端末から送信されてくる電子メールに含まれる暗号化された情報を復号する場合に用いる鍵情報を取得する取得手段と、情報処理端末のユーザに提示する所定の情報を鍵情報を用いて暗号化し、電子メールに含めて情報処理端末に送信する送信手段と、送信手段により送信された電子メールに対して、情報処理端末から電子メールが返信されてきたとき、返信されてきた電子メールに含まれる暗号化された情報を鍵情報を用いて復号し、その内容に応じて所定の処理を行う処理手段とを備えることを特徴とする。
【００１２】
取得手段は、情報処理端末との間で赤外線を用いて行われる無線通信、または、電磁誘導を用いて行われる非接触の無線通信を介して鍵情報を取得するようにすることができる。
【００１３】
送信手段は、情報処理端末に実行させるアプリケーションの提供元を表すアドレスを、電子メールにさらに含めて情報処理端末に送信するようにすることができる。
【００１４】
本発明の情報処理装置は、情報処理端末のユーザの嗜好に関する嗜好情報を管理する管理手段をさらに備えるようにすることができる。この場合、送信手段は、電子番組表情報に含まれる番組の中から嗜好情報に基づいて選択した番組の情報を、ユーザに提示する所定の情報として鍵情報を用いて暗号化し、電子メールに含めて情報処理端末に送信する。
【００１５】
本発明の第１の情報処理方法は、情報処理端末に送信する電子メールに含まれる情報を暗号化する場合、および、情報処理端末から送信されてくる電子メールに含まれる暗号化された情報を復号する場合に用いる鍵情報を取得する取得ステップと、情報処理端末のユーザに提示する所定の情報を鍵情報を用いて暗号化し、電子メールに含めて情報処理端末に送信する送信ステップと、送信ステップの処理により送信された電子メールに対して、情報処理端末から電子メールが返信されてきたとき、返信されてきた電子メールに含まれる暗号化された情報を鍵情報を用いて復号し、その内容に応じて所定の処理を行う処理ステップとを含むことを特徴とする。
【００１６】
本発明の第１のプログラムは、本発明の第１の情報処理方法に含まれる各ステップからなる処理をコンピュータに実行させることを特徴とする。
【００１７】
本発明の情報処理端末は、情報処理装置に送信する電子メールに含まれる情報を暗号化する場合、および、情報処理装置から送信されてくる電子メールに含まれる暗号化された情報を復号する場合に用いる鍵情報を取得する取得手段と、情報処理装置から電子メールが送信されてきたとき、電子メールに含まれる暗号化された情報を鍵情報を用いて復号し、復号して得られる所定の情報をユーザに提示する提示手段と、提示手段による所定の情報の提示に対して行われるユーザからの入力に基づいて、情報処理装置に所定の処理を実行させるための電子メールを情報処理装置に返信する送信手段とを備えることを特徴とする。
【００１８】
取得手段は、情報処理装置との間で赤外線を用いて行われる無線通信、または、電磁誘導を用いて行われる非接触の無線通信を介して鍵情報を取得するようにすることができる。
【００１９】
情報処理装置から送信されてくる電子メールに、実行するアプリケーションの提供元を表すアドレスが含まれている場合、提示手段は、提供元から提供されるアプリケーションに従って、所定の情報をユーザに提示するようにすることができる。
【００２０】
復号して得られる所定の情報が、電子番組表情報に含まれる番組の中からユーザの嗜好に関する嗜好情報に基づいて情報処理装置により選択された番組の情報である場合、送信手段は、ユーザにより指定された番組の録画予約を設定させるための電子メールを情報処理装置に返信するようにすることができる。
【００２１】
本発明の第２の情報処理方法は、情報処理装置に送信する電子メールに含まれる情報を暗号化する場合、および、情報処理装置から送信されてくる電子メールに含まれる暗号化された情報を復号する場合に用いる鍵情報を取得する取得ステップと、情報処理装置から電子メールが送信されてきたとき、電子メールに含まれる暗号化された情報を鍵情報を用いて復号し、復号して得られる所定の情報をユーザに提示する提示ステップと、提示ステップの処理による所定の情報の提示に対して行われるユーザからの入力に基づいて、情報処理装置に所定の処理を実行させるための電子メールを情報処理装置に返信する送信ステップとを含むことを特徴とする。
【００２２】
本発明の第２のプログラムは、本発明の第２の情報処理方法に含まれる各ステップからなる処理をコンピュータに実行させることを特徴とする。
【００２３】
本発明の制御システムにおいては、情報処理端末に送信する電子メールに含まれる情報を暗号化する場合、および、情報処理端末から送信されてくる電子メールに含まれる暗号化された情報を復号する場合に用いる第１の鍵情報が取得され、情報処理端末のユーザに提示する所定の情報を第１の鍵情報が用いられて暗号化され、電子メールに含めて情報処理端末に送信される。また、送信された電子メールに対して、情報処理端末から電子メールが返信されてきたとき、返信されてきた電子メールに含まれる暗号化された情報が第１の鍵情報が用いられて復号され、その内容に応じて所定の処理が行われる。さらに、情報処理装置に送信する電子メールに含まれる情報を暗号化する場合、および、情報処理装置から送信されてくる電子メールに含まれる暗号化された情報を復号する場合に用いる第２の鍵情報が取得され、情報処理装置から電子メールが送信されてきたとき、電子メールに含まれる暗号化された情報が第２の鍵情報が用いられて復号され、復号されて得られる所定の情報がユーザに提示される。また、所定の情報の提示に対して行われるユーザからの入力に基づいて、情報処理装置に所定の処理を実行させるための電子メールが情報処理装置に返信される。
【００２４】
本発明の情報処理装置および第１の情報処理方法、並びに第１のプログラムにおいては、情報処理端末に送信する電子メールに含まれる情報を暗号化する場合、および、情報処理端末から送信されてくる電子メールに含まれる暗号化された情報を復号する場合に用いる鍵情報が取得され、情報処理端末のユーザに提示する所定の情報が鍵情報が用いられて暗号化され、電子メールに含めて情報処理端末に送信される。また、送信された電子メールに対して、情報処理端末から電子メールが返信されてきたとき、返信されてきた電子メールに含まれる暗号化された情報が鍵情報が用いられて復号され、その内容に応じて所定の処理が行われる。
【００２５】
本発明の情報処理端末および第２の情報処理方法、並びにプログラムにおいては、情報処理装置に送信する電子メールに含まれる情報を暗号化する場合、および、情報処理装置から送信されてくる電子メールに含まれる暗号化された情報を復号する場合に用いる鍵情報が取得され、情報処理装置から電子メールが送信されてきたとき、電子メールに含まれる暗号化された情報が鍵情報が用いられて復号され、復号されて得られる所定の情報がユーザに提示される。また、所定の情報の提示に対して行われるユーザからの入力に基づいて、情報処理装置に所定の処理を実行させるための電子メールが情報処理装置に返信される。
【発明の効果】
【００２６】
本発明によれば、情報処理装置から情報処理端末に対して、セキュリティを確保しつつ、各種の情報を発信することができる。
【００２７】
また、本発明によれば、情報処理装置から情報処理端末に対する処理をきっかけとして、情報処理端末から情報処理装置を操作することができる。
【００２８】
さらに、本発明によれば、情報処理装置と情報処理端末の間で行われる通信で用いられる暗号鍵の登録を、容易にかつ迅速に行うことができる。
【発明を実施するための最良の形態】
【００２９】
以下に本発明の実施の形態を説明するが、本発明の構成要件と、発明の実施の形態における具体例との対応関係を例示すると、次のようになる。この記載は、本発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００３０】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定するものではない。
【００３１】
本発明によれば、情報処理装置が提供される。この情報処理装置（例えば、図１の電気機器５）は、情報処理端末（例えば、図１の携帯機器１）との間で電子メールの送受信を行う情報処理装置であって、情報処理端末に送信する電子メールに含まれる情報を暗号化する場合、および、情報処理端末から送信されてくる電子メールに含まれる暗号化された情報を復号する場合に用いる鍵情報を取得する取得手段（例えば、図５の鍵情報管理部８５）と、情報処理端末のユーザに提示する所定の情報（例えば、おすすめ番組）を鍵情報を用いて暗号化し、電子メールに含めて情報処理端末に送信する送信手段（例えば、図５のメール送受信部８２）と、送信手段により送信された電子メールに対して、情報処理端末から電子メールが返信されてきたとき、返信されてきた電子メールに含まれる暗号化された情報を鍵情報を用いて復号し、その内容に応じて所定の処理を行う処理手段（例えば、おすすめ番組の中から選択された番組の録画予約を設定するアプリケーションプログラム９５）とを含む。
【００３２】
送信手段は、情報処理端末に実行させるアプリケーションの提供元を表すアドレス（例えば、図１０のURL）を、電子メールにさらに含めて情報処理端末に送信するようにすることができる。
【００３３】
情報処理装置は、情報処理端末のユーザの嗜好に関する嗜好情報を管理する管理手段（例えば、図５の嗜好情報管理部９３）をさらに備えるようにすることができる。この場合、送信手段は、電子番組表情報に含まれる番組の中から嗜好情報に基づいて選択した番組の情報を、ユーザに提示する所定の情報として鍵情報を用いて暗号化し、電子メールに含めて情報処理端末に送信するようにすることができる。
【００３４】
また、本発明によれば、第１の情報処理方法が提供される。この情報処理方法は、情報処理端末（例えば、図１の携帯機器１）との間で電子メールの送受信を行う情報処理装置（例えば、図１の電気機器５）の情報処理方法であって、情報処理端末に送信する電子メールに含まれる情報を暗号化する場合、および、情報処理端末から送信されてくる電子メールに含まれる暗号化された情報を復号する場合に用いる鍵情報を取得する取得ステップ（例えば、図８のステップＳ１１）と、情報処理端末のユーザに提示する所定の情報（例えば、おすすめ番組）を鍵情報を用いて暗号化し、電子メールに含めて情報処理端末に送信する送信ステップ（例えば、図１２のステップＳ６５）と、送信ステップの処理により送信された電子メールに対して、情報処理端末から電子メールが返信されてきたとき、返信されてきた電子メールに含まれる暗号化された情報を鍵情報を用いて復号し、その内容に応じて所定の処理を行う処理ステップ（例えば、図１２のステップＳ６９）とを含む。
【００３５】
さらに、本発明によれば、情報処理端末が提供される。この情報処理端末（例えば、図１の携帯機器１）は、情報処理装置（例えば、図１の電気機器５）との間で電子メールの送受信を行う情報処理端末であって、情報処理装置に送信する電子メールに含まれる情報を暗号化する場合、および、情報処理装置から送信されてくる電子メールに含まれる暗号化された情報を復号する場合に用いる鍵情報を取得する取得手段（例えば、図３の鍵情報管理部４５）と、情報処理装置から電子メールが送信されてきたとき、電子メールに含まれる暗号化された情報を鍵情報を用いて復号し、復号して得られる所定の情報（例えば、おすすめ番組）をユーザに提示する提示手段（例えば、おすすめ番組を表示する図３のアプリケーションプログラム５０）と、提示手段による所定の情報の提示に対して行われるユーザからの入力に基づいて、情報処理装置に所定の処理を実行させるための電子メールを情報処理装置に返信する送信手段（例えば、図３のメール送受信部４２）とを含む。
【００３６】
情報処理装置から送信されてくる電子メールに、実行するアプリケーションの提供元を表すアドレス（例えば、図１０のURL）が含まれている場合、本発明の情報処理端末の提示手段は、提供元から提供されるアプリケーションに従って、所定の情報をユーザに提示するようにすることができる。
【００３７】
本発明によれば、第２の情報処理方法が提供される。この情報処理方法は、情報処理装置（例えば、図１の電気機器５）との間で電子メールの送受信を行う情報処理端末（例えば、図１の携帯機器１）の情報処理方法であって、情報処理装置に送信する電子メールに含まれる情報を暗号化する場合、および、情報処理装置から送信されてくる電子メールに含まれる暗号化された情報を復号する場合に用いる鍵情報を取得する取得ステップ（例えば、図８のステップＳ２）と、情報処理装置から電子メールが送信されてきたとき、電子メールに含まれる暗号化された情報を鍵情報を用いて復号し、復号して得られる所定の情報（例えば、おすすめ番組）をユーザに提示する提示ステップ（例えば、図１２のステップＳ８２）と、提示ステップの処理による所定の情報の提示に対して行われるユーザからの入力に基づいて、情報処理装置に所定の処理を実行させるための電子メールを情報処理装置に返信する送信ステップ（例えば、図１２のステップＳ８６）とを含む。
【００３８】
本発明によれば、第１、第２のプログラムが提供される。この第１、第２のプログラムは、第１、第２の情報処理方法が含む各ステップと同様のステップをコンピュータに実行させる。また、本発明によれば、上述した情報処理装置と情報処理端末を含む制御システムが提供される。
【００３９】
図１は、本発明を適用した制御システムの構成例を示す図である。
【００４０】
本発明を適用した制御システムは、携帯機器１と電気機器５がネットワーク２およびルータ／モデム装置４を介して接続され、構成される。このネットワーク２には、サーバ装置３も接続される。
【００４１】
携帯機器１は、携帯電話機やPDA(Personal Data Assistance)、ノートブック型のパーソナルコンピュータなどの、ネットワーク２への接続機能を備える携帯型のコンピュータデバイスである。
【００４２】
電気機器５は、ビデオ録画装置、テレビジョン放送の受信機、DVD(Digital Versatile Disc)レコーダ、ハードディスクレコーダ、ゲーム機などのいわゆる家庭電化製品（家電）であり、ルータ／モデム装置４を介してネットワーク２に接続される。図１の例においては、この電気機器５には、ケーブルを介して表示装置６が接続されている。電気機器５と、電気機器５に接続されるルータ／モデム装置４および表示装置６は、携帯機器１のユーザの自宅などに設置される機器である。
【００４３】
サーバ装置３は、メールサーバであり、メールに記述される送信先のメールアドレスに基づいて、電気機器５から携帯機器１に対するメールの転送、および、携帯機器１から電気機器５に対するメールの転送を管理する。
【００４４】
このような各機器からなる制御システムにおいて、ユーザは、例えば、外出先から携帯機器１を操作して電気機器５にメールを送信することにより、ネットワーク２経由で電気機器５を遠隔操作することができる。すなわち、携帯機器１から送信されるメールには、電気機器５に所定の処理を実行させるための制御データが含まれており、そのメールを受信した電気機器５は、メールの内容を解析し、含まれる制御データに基づいて所定の処理を行う。
【００４５】
以下、携帯機器１が携帯電話機、電気機器５がビデオ録画装置であり、携帯機器１による遠隔操作によって、テレビジョン番組の録画予約の設定等が行われる場合について主に説明する。
【００４６】
例えば、ユーザは、電気機器５から送信されてくる、おすすめ番組を通知するメールが携帯機器１により受信されたとき、おすすめ番組を携帯機器１の画面上で確認し、電気機器５にメールを返信することによりおすすめ番組の録画予約を電気機器５に設定することができる。このように、図１の制御システムにおいては、電気機器５から携帯機器１に対して送信されるメールをきっかけとして、電気機器５の遠隔操作を行うことが可能とされている。
【００４７】
また、ユーザからの操作によらずに、電気機器５から自動的に送信されるメールをきっかけとして電気機器５の遠隔操作が可能である場合、第三者によるなりすましのメールに応じてユーザが電気機器５を遠隔操作するのを防止する必要があることから、携帯機器１と電気機器５の間では暗号鍵の登録が予め行われ、その暗号鍵を用いて一部に暗号化が施されたメールが送受信される。暗号鍵の登録は、例えば、ユーザが携帯機器１と電気機器５を近接させた状態で、赤外線などの近距離の無線通信により行われる。携帯機器１と電気機器５の間で行われる暗号鍵の登録、録画予約の設定等の処理については、フローチャートを参照して後に詳述する。
【００４８】
図２は、携帯機器１の構成例を示すブロック図である。
【００４９】
CPU(Central Processing Unit)１１は、ROM(Read Only Memory)１３に記憶されているプログラム、または、記憶部１６からRAM(Random Access Memory)１２にロードされたプログラムに従って携帯機器１の全体を制御する。RAM１２にはまた、CPU１１が各種の処理を実行する上において必要なデータなどが適宜記憶される。
【００５０】
CPU１１、RAM１２、およびROM１３は、バス１４を介して相互に接続されている。バス１４にはまた、通信部１５、記憶部１６、インタフェース１７も接続されている。
【００５１】
通信部１５は、通話時には、基地局との間で音声データを送受信し、通信時には、ネットワーク２を介して通信を行う。例えば、通信部１５は、電気機器５を遠隔操作するために生成されたメールがCPU１１からバス１４を介して供給されたとき、それをネットワーク２を介してサーバ装置３に送信する。記憶部１６は、フラッシュメモリなどよりなり、例えば、CPU１１が実行するためのアプリケーションや、電気機器５において録画済みの番組の情報、録画予約を設定した番組の情報などを適宜記憶する。
【００５２】
インタフェース１７には、赤外線発光部１８、赤外線受光部１９、表示部２０、入力部２１、マイクロフォン２２、スピーカ２３が接続される。
【００５３】
赤外線発光部１８は、バス１４およびインタフェース１７を介して行われるCPU１１からの制御に基づいて赤外線を発光し、赤外線受光部１９は、外部から入射される赤外線を受光する。電気機器５にも赤外線の発光部と受光部が設けられており、この赤外線発光部１８と赤外線受光部１９により、電気機器５との間での赤外線による近距離の無線通信が実現される。例えば、暗号鍵の送信や、録画済みの番組の再生を指示するコマンドの送信が、その赤外線による近距離の無線通信により行われる。
【００５４】
表示部２０は、LCD(Liquid Crystal Display)などから構成され、CPU１１からの制御に基づいて所定の画面を表示する。例えば、電気機器５から携帯機器１に送信されてきたメールの内容などが表示部２０に表示される。入力部２１は、テンキーなどのキーボード３１、回動可能なジョグダイアル３２に対するユーザの入力を検出し、ユーザからの入力に対応する信号をCPU１１に出力する。マイクロフォン２２は、ユーザの声を集音し、それを通信部１５等に出力する。スピーカ２３は、他の携帯電話機から送信されてきたデータに基づく音声を外部に出力する。
【００５５】
図３は、携帯機器１が有するソフトウエアの構成例（機能構成例）を示す図である。
【００５６】
OS(Operating System)４１は、例えば、ファイルの管理、メモリの管理、入出力の管理、ユーザーインターフェースの提供などを行なう基本ソフトウェアであり、図３の各部に各種の機能を提供する。
【００５７】
メール送受信部４２は、通信部１５において行われるメールの送受信を管理する。例えば、メール生成部４６により生成され、暗号復号処理部４４により暗号化が施されたメール（一部の情報に暗号化が施されたメール）が供給されてきたとき、メール送受信部４２は、そのメールを電気機器５を送信先としてサーバ装置３に送信する。
【００５８】
赤外線通信制御部４３は、赤外線発光部１８において行われる赤外線の発光、および、赤外線受光部１９において行われる赤外線の受光を制御する。例えば、電気機器５との暗号鍵の登録の際、赤外線通信制御部４３は、赤外線発光部１８を制御し、暗号復号処理部４４により生成された暗号鍵を赤外線により電気機器５に送信する。
【００５９】
暗号復号処理部４４は、メール生成部４６により生成されたメールに暗号化を施したり、或いは、電気機器５から送信されてきたメールに暗号化が施されている場合、鍵情報管理部４５により管理されている暗号鍵を用いてその暗号を復号する。また、暗号復号処理部４４は、電気機器５とのメールの送受信に用いられる暗号鍵を生成し、それを赤外線通信制御部４３、鍵情報管理部４５に出力する。
【００６０】
鍵情報管理部４５は、暗号復号処理部４４により生成される暗号鍵を管理し、適宜、暗号鍵を暗号復号処理部４４等に提供する。
【００６１】
メール生成部４６は、例えば、電気機器５に対する制御データを含むメールを所定のフォーマットに従って生成する。メール生成部４６により生成されたメールは、暗号復号処理部４４に出力される。
【００６２】
メール解析部４７は、電気機器５から送信されてきたメールの内容を解析し、解析結果を、アプリケーションプログラム５０等に通知する。電気機器５から送信されてきたメールに暗号化が施されている場合、暗号復号処理部４４により復号済みのメールがメール解析部４７に供給される。
【００６３】
メール認証部４８は、メール送受信部４２により受信されたメールの送信元が、予め登録されているものであるか否かを認証する。
【００６４】
プログラム管理部４９は、電気機器５から送信されてきたメールで指定されるプログラムの起動を制御する。電気機器５から携帯機器１に送信されるメールには、携帯機器１において実行するアプリケーションを指定する情報、および、そのアプリケーションの格納先（提供元）を指定するURL(Uniform Resource Locator)等が含まれている。
【００６５】
アプリケーションプログラム５０は、電気機器５に録画予約を設定したりするためのプログラムである。
【００６６】
図４は、電気機器５の構成例を示すブロック図である。
【００６７】
CPU６１は、ROM６３に記憶されているプログラム、または、記憶部６６からRAM６２にロードされたプログラムに従って電気機器５の全体を制御する。
【００６８】
CPU６１、RAM６２、およびROM６３は、バス６４を介して相互に接続されている。バス６４にはまた、通信部６５、記憶部６６、インタフェース６７も接続されている。
【００６９】
通信部６５は、ルータ／モデム装置４を介してネットワーク２に接続し、携帯機器１からサーバ装置３を介して送信されてきたメールの受信などを行う。記憶部６６は、例えば、ハードディスクなどよりなり、CPU６１が実行するためのアプリケーションの他、エンコーダ／デコーダ７１によりエンコードされたテレビジョン番組のデータなどを記憶する。
【００７０】
インタフェース６７には、図１の表示装置６の他、赤外線発光部６８、赤外線受光部６９、入力部７０、エンコーダ／デコーダ７１が接続される。
【００７１】
赤外線発光部６８は、CPU６１からの制御に基づいて赤外線を発光し、赤外線受光部６９は、携帯機器１などから発光され、入射される赤外線を受光する。この赤外線発光部６８と赤外線受光部６９により、赤外線による近距離の無線通信が行われる。赤外線受光部６９により受光された赤外線から取得される暗号鍵などは、適宜、CPU６１等に出力される。
【００７２】
入力部７０は、電気機器５の表面に設けられるボタンに対するユーザの入力の検出や、図示せぬリモートコントローラから送信される信号の受信を行い、それらの入力に対応する信号をCPU６１に出力する。エンコーダ／デコーダ７１は、図示せぬチューナにより選局されたテレビジョン番組の信号に基づいてエンコードを行い、得られた番組データを記憶部６６に出力する。また、エンコーダ／デコーダ７１は、記憶部６６に記憶されている番組データのデコードを行い、得られた信号を表示装置６に出力する。
【００７３】
図５は、電気機器５が有するソフトウエアの構成例（機能構成例）を示す図である。図３と同じ構成については、適宜、その詳細な説明を省略する。
【００７４】
番組情報受信制御部９０は、例えば、ネットワーク２上の所定のサーバからダウンロードすることで、または、テレビジョン放送波から抽出することで、番組の番組名、開始時刻、終了時刻、チャンネルなどの番組の属性情報等を含む番組情報（EPG(Electronic Program Guide)）を取得し、それを番組情報管理部９２に出力する。
【００７５】
録画装置制御部９１は、エンコーダ／デコーダ７１を制御し、録画の開始／終了、記憶部６６に記憶されている番組の再生等を制御する。
【００７６】
番組情報管理部９２は、番組情報受信制御部９０により取得された番組情報を管理し、例えば、番組情報と、嗜好情報管理部９３により管理されているユーザの嗜好情報に基づいて、ユーザに対するおすすめ番組を選択する。
【００７７】
嗜好情報管理部９３は、ユーザにより予め入力されたキーワード、録画履歴、再生履歴などに基づいてユーザのテレビジョン番組の嗜好を解析し、嗜好情報を管理する。
【００７８】
予約情報管理部９４は、録画予約が設定された番組の番組情報を管理し、番組の放送開始時刻になった場合、録画装置制御部９１に番組の録画を開始させる。例えば、携帯機器１から送信されてくるメールに、録画予約を設定する番組を指定する情報が含まれている場合、予約情報管理部９４は、そのメールに基づいて録画予約を設定する。
【００７９】
図５に示される他の構成であるOS８１は、図５の各部に各種の機能を提供し、メール送受信部８２は、メールの送受信を管理する。また、赤外線通信制御部８３は、赤外線発光部６８において行われる赤外線の発光、および、赤外線受光部６９において行われる赤外線の受光を制御し、暗号復号処理部８４は、メールに含まれるデータの暗号化または復号を制御する。鍵情報管理部８５は、携帯機器１により生成され、赤外線を介して送信されてきた暗号鍵を管理する。メール生成部８６は、メールの生成を管理し、メール解析部８７は、送信されてきたメールの解析を行う。メール認証部８８は、メールの認証を行い、プログラム管理部８９は、適宜、プログラムの起動を制御する。アプリケーションプログラム９５は、録画予約を設定したり、録画を実行したりするためのプログラムである。
【００８０】
図６は、サーバ装置３の構成例を示すブロック図である。
【００８１】
CPU１１１は、ROM１１３に記憶されているプログラム、または、記憶部１１６からRAM１１２にロードされたプログラムに従ってサーバ装置３の全体を制御する。
【００８２】
CPU１１１、RAM１１２、およびROM１１３は、バス１１４を介して相互に接続されている。バス１１４にはまた、通信部１１５、記憶部１１６、ドライブ１１７も接続されている。
【００８３】
通信部１１５は、ネットワーク２を介してメールの送受信を行う。記憶部１１６は、例えば、ハードディスクなどよりなり、CPU１１１が実行するためのアプリケーションなどを記憶する。ドライブ１１７は、適宜装着される磁気ディスク１１８、光ディスク１１９、光磁気ディスク１２０、或いは半導体メモリ１２１からのデータの読み出し、または、それらの記録媒体に対するデータの書き込みを行う。
【００８４】
図７は、サーバ装置３が有するソフトウエアの構成例（機能構成例）を示す図である。図３、図５と同じ構成については、適宜、その詳細な説明を省略する。
【００８５】
メール送受信部１３２は、通信部１１５において行われるメールの送受信を制御し、メール転送制御部１３３は、受信されたメールの、送信先として指定される機器への転送を制御する。
【００８６】
次に、以上のようなハードウエア構成、ソフトウエア構成を有する各機器により行われる処理についてフローチャートを参照して説明する。
【００８７】
始めに、図８のフローチャートを参照して、携帯機器１と電気機器５により行われる、暗号鍵の登録処理について説明する。
【００８８】
この処理は、例えば、ユーザにより携帯機器１と電気機器５が近接され、携帯機器１の赤外線発光部１８と赤外線受光部１９が、電気機器５に向けられた状態で行われる。赤外線を用いて暗号鍵の登録を行うことにより、電波を使って送受信する場合に較べて、第三者による盗聴などによる暗号鍵の漏洩を防止することができる。
【００８９】
例えば、暗号鍵の登録がユーザから指示されたとき、ステップＳ１において、携帯機器１の鍵情報管理部４５は、セッションIDと暗号鍵を生成する。このセッションIDは、今回の登録のセッションを識別するためのIDであり、暗号鍵の登録毎にユニークなものである。
【００９０】
鍵情報管理部４５は、ステップＳ２において、ステップＳ１で生成したセッションIDと暗号鍵を保存する。また、セッションIDと暗号鍵は、赤外線通信制御部４３にも出力される。
【００９１】
ステップＳ３において、赤外線通信制御部４３は、赤外線発光部１８を制御し、鍵情報管理部４５から供給されてきたセッションID、暗号鍵とともに、携帯機器１の機器識別情報とメールアドレスを赤外線を介して電気機器５に送信する。ここで送信される機器識別情報は、機器IDやハードウェアアドレスなど、携帯機器１を特定できる情報である。また、メールアドレスは、メール生成部４６などにより管理されているものである。
【００９２】
電気機器５の赤外線通信制御部８３は、ステップＳ１１において、赤外線受光部６９で受光された赤外線から、セッションID、暗号鍵、携帯機器１の機器識別情報、メールアドレスを受信する。赤外線通信制御部８３により受信されたこれらの情報は、鍵情報管理部８５に出力される。
【００９３】
ステップＳ１２において、鍵情報管理部８５は、赤外線通信制御部８３から供給されたセッションID、暗号鍵、携帯機器１の機器識別情報、メールアドレスを、それぞれ対応付けて登録する。登録が完了したとき、携帯機器１のメールアドレスとともに、鍵情報管理部８５からメール生成部８６にそのことが通知される。
【００９４】
ステップＳ１３において、メール生成部８６は、鍵情報管理部８５により新たに登録されたメールアドレスを送信先とする、暗号鍵の登録完了を通知するメールを生成する。生成されたメールは、メール送受信部８２に出力される。
【００９５】
メール送受信部８２は、ステップＳ１４において、メール生成部８６により生成されたメールを通信部６５から送信する。通信部６５から送信されたメールは、ルータ／モデム装置４、ネットワーク２を介してサーバ装置３により受信され、サーバ装置３により携帯機器１に転送される。なお、ここで送信されるメールには、携帯機器１から提供された平文のセッションID（暗号化されていないセッションID）と、提供された暗号鍵を用いて暗号化された電気機器５のメールアドレスが含まれる。
【００９６】
このように、新たに登録された暗号鍵で暗号化された電気機器５のメールアドレスが携帯機器１に送信されるため、そのメールアドレスは、暗号鍵を生成した携帯機器１のみが復号し、取得することができる。従って、電気機器５のメールアドレスの漏洩を防止することができる。
【００９７】
ステップＳ４において、携帯機器１のメール送受信部４２は、通信部１５を制御して、サーバ装置３を経由して電気機器５から送信されてきたメールを受信する。
【００９８】
鍵情報管理部４５は、ステップＳ５において、メール送受信部４２により受信されたメールに含まれるセッションIDと、ステップＳ２で保存したセッションIDが同一のものであるか否かを確認する。例えば、これらのセッションIDが異なるものである場合、所定のエラーメッセージなどが携帯機器１の表示部２０に表示され、処理は終了される。
【００９９】
一方、電気機器５から送信されてきたメールに含まれるセッションIDと、管理するセッションIDが同一のものである場合、鍵情報管理部４５は、電気機器５において暗号鍵等の情報が正常に登録されたと判断し、ステップＳ６に進む。
【０１００】
ステップＳ６において、暗号復号処理部４４は、電気機器５から送信されてきたメールに含まれる電気機器５のメールアドレスを、鍵情報管理部４５により管理されている暗号鍵を用いて復号し、復号して得られたメールアドレスと暗号鍵を対応付けて鍵情報管理部４５に管理させる。
【０１０１】
これにより、携帯機器１と電気機器５によりそれぞれ暗号鍵が登録される。これ以降、携帯機器１に登録された暗号鍵により、電気機器５に送信するメールに含まれるデータの暗号化、電気機器５から送信されてくるメールに含まれるデータの復号が行われる。また、電気機器５に登録された暗号鍵により、携帯機器１に送信するメールに含まれるデータの暗号化、携帯機器１から送信されてくるメールに含まれるデータの復号が行われる。
【０１０２】
このように、ユーザは、セキュリティを確保しつつ、それぞれの機器を近接させるといった直感的な操作で暗号鍵の登録を行うことができる。
【０１０３】
以上においては、赤外線を介して暗号鍵の登録が行われるとしたが、例えば、携帯機器１と電気機器５のそれぞれに設けられる非接触ICチップとそれに対するリーダライタにより、電磁誘導を用いた近距離無線通信を介して行われるようにしてもよい。
【０１０４】
また、携帯機器１と電気機器５のそれぞれに、機器に着脱可能なメモリカードのスロットが設けられている場合、そのメモリカードを用いることで暗号鍵の登録が行われるようにしてもよい。この場合、例えば、携帯機器１により生成された暗号鍵が携帯機器１に装着されるメモリカードに書き込まれ、次に、そのメモリカードが電気機器５に装着されることにより暗号鍵の登録が行われる。これらによっても、ユーザは、セキュリティを確保しつつ、直感的な操作で暗号鍵の登録を行うことができる。
【０１０５】
また、以上においては、携帯機器１により生成された暗号鍵が電気機器５に提供されるとしたが、逆に、電気機器５により生成された暗号鍵が、電気機器５から携帯機器１に提供されるようにしてもよい。
【０１０６】
次に、図９のフローチャートを参照して、電気機器５により行われるメールの送信処理について説明する。
【０１０７】
電気機器５のアプリケーションプログラム９５は、ステップＳ２１において、送信先とする携帯機器１のメールアドレスをメール生成部８６に通知し、携帯機器１に対するメールの送信を要求する。
【０１０８】
ステップＳ２２において、メール生成部８６は、所定のフォーマットに従って、ヘッダとメール本文のうちのメール本文を生成する。メール本文には、携帯機器１の表示部２０に表示され、ユーザが読むことが可能なメッセージと、携帯機器１を制御するための制御データが含まれる。
【０１０９】
メール生成部８６は、ステップＳ２３において、メールの送信先である携帯機器１のメールアドレスを鍵情報管理部８５に通知し、そのメールアドレスに対応付けて登録されている暗号鍵を問い合わせる。図８を参照して説明したように、暗号鍵の登録処理が正常に行われた場合、携帯機器１から提供された暗号鍵と、携帯機器１のメールアドレスは、対応付けて登録されている（図８のステップＳ１２）。
【０１１０】
ステップＳ２４において、鍵情報管理部８５は、メール生成部８６から通知されたメールアドレスに対応付けて、暗号鍵が登録されているか否かを判定し、登録されていないと判定した場合、ステップＳ２５に進み、エラーを通知する。これにより処理は終了され、電気機器５から携帯機器１に対するメールの送信は行われない。
【０１１１】
一方、鍵情報管理部８５は、ステップＳ２４において、メール生成部８６から通知されたメールアドレスに対応付けて、暗号鍵が登録されていると判定した場合、ステップＳ２６に進む。メールアドレスに対応付けて暗号鍵が登録されている場合、その暗号鍵が鍵情報管理部８５からメール生成部８６に提供される。
【０１１２】
ステップＳ２６において、メール生成部８６は、鍵情報管理部８５から提供された暗号鍵と、生成したメール本文を暗号復号処理部８４に出力する。
【０１１３】
暗号復号処理部８４は、ステップＳ２７において、メール生成部８６から供給された暗号鍵を用いて、例えば、メール本文の一部のデータに暗号化を施す。例えば、メール本文に含まれる、携帯機器１に対する制御データに暗号化が施される。
【０１１４】
また、暗号復号処理部８４は、ステップＳ２８において、暗号化を一部に施したメール本文をメール送受信部８２に出力する。なお、このとき、携帯機器１のメールアドレスもメール送受信部８２に供給される。
【０１１５】
ステップＳ２９において、メール送受信部８２は、供給された携帯機器１のメールアドレスを送信先とするメールヘッダに、暗号復号処理部８４により暗号化が施されたメール本文を付加することでメール全体を生成し、それを通信部６５から送信する。
【０１１６】
以上のように、予め登録された暗号鍵により、より機密性が要求される制御データ等に暗号化が施され、電気機器５から発信されるメールが生成される。なお、電気機器５がメールを送信する場合だけでなく、携帯機器１が電気機器５にメールを送信する場合にも、図９の処理が携帯機器１により実行される。
【０１１７】
図１０は、図９の処理によって電気機器５により生成されるメールの例を示す図である。
【０１１８】
図１０においては、おすすめ番組をユーザに通知するメールの例が示されている。なお、図１０において、各行頭の数字と、コロン記号（：）は、説明の便宜上付加したものであり、メッセージやデータの一部ではない。
【０１１９】
メールは、ヘッダと本文から構成され、その本文は、さらに、ユーザが読むことが可能な（例えば、携帯機器１が表示可能な）可読メッセージ部と、読むことができない制御データから構成される。
【０１２０】
第１行目の「From:video@foo.bar」は、メールの送信元である電気機器５のメールアドレスを表し、第２行目の「To:taro@foo.bar」は、メールの送信先である携帯機器１のメールアドレスを表す。
【０１２１】
第３行目の「Subject:Videoからのおすすめ」は、メールの表題を表す。携帯機器１の表示部２０に表示されるこの表題を見ることで、ユーザは、電気機器５からおすすめ番組の通知がきたことを確認することができる。
【０１２２】
第４行目の「Content-Type:multipart/mixed;」は、メールのコンテンツタイプがマルチパート（multipart）構成であり、個々のパートはそれぞれ別のデータであることを表す。電子メールを送受信する際には、本文にテキストを記載し、それに、アプリケーションのデータや画像ファイルを複数添付することが多い。このような場合に利用するのが、複数の添付ファイルをまとめたマルチパートコンテンツタイプである。従って、コンテンツタイプがマルチパートであることがヘッダに記述されている場合、それに続く本文は、制御データや添付ファイルなどの複数のパートで構成される。１つのパートの境界は、コンテンツタイプのバウンダリ（boundary）識別子で示される。
【０１２３】
以上のような第１行目乃至第４行目の情報からヘッダが構成される。
【０１２４】
第５行目以降がメール本文となり、第５行目の「boundary=」に続く「-」と数字は、バウンダリ識別子を定義する。
【０１２５】
第６行目乃至第８行目は、可読メッセージ部であり、そこに記述されるメッセージが携帯機器１の表示部２０に表示される。図１０の例においては、「太郎さんへ  今日はおすすめ番組が３つあるよ！興味があるものを教えてね！」が可読メッセージとされている。
【０１２６】
第９行目にあるバウンダリ識別子から第２２行目にあるバウンダリ識別子までが、携帯機器１を制御するための制御データとされる。
【０１２７】
第１０行目の「<A version=”10”>」は、制御データの記述言語とそのバージョンを表す。第１１行目の「<B protocol=”mailto” create=””1”>」のうちの「B protocol=”mailto”」は、第１７行目にある「/B」までのプロトコルの種別を表し、「create=」は、このメールを受信した機器がプロセスを作成する必要があるのか否かを表す。
【０１２８】
第１２行目の「<URL>http://www.AAAA.com.game.html</URL>」は、携帯機器１が実行するプログラムの提供元のURLを表す。例えば、携帯機器１は、図１０のメールを受信することに応じて、「http://www.AAAA.com.game.html」で指定されるサーバにアクセスし、そのサーバから提供されるアプリケーションを有しているか否か、および、提供されるアプリケーションのバージョンと、有しているそのアプリケーションのバージョンが同一であるか否かを確認する。
【０１２９】
携帯機器１は、同一バージョンのアプリケーションを有していると判定した場合はアプリケーションのダウンロードを行わず、アプリケーションを有していないと判定した場合や、異なるバージョンのアプリケーションを有していると判定した場合は、提供されるアプリケーションをダウンロードし、ダウンロードしたアプリケーションに従って所定の処理を行う。図１０の例の場合、ダウンロードしたアプリケーションに従って、おすすめ番組の表示、おすすめ番組の中から選択された番組の録画予約を設定するメールの返信等が行われる。
【０１３０】
第１３行目の「<SENDER>ABCDEFGHIJKLMNOP</SENDER>」は、送信元（ここでは電気機器５）のプロセス識別子であり、このメールを送信した電気機器５が、メールによって授受される情報を用いて動作するプロセスを識別するために参照される。第１４行目の「<GROUPID>A39EZFD40ZLSD55F</GROUPID>」は、送信先（ここでは携帯機器１）のプロセス識別子であり、このメールを送信した携帯機器１が、メールによって授受される情報を用いて動作するプロセスを識別するために参照される。第１５行目の「<RECEIVER>ZFQD2I97EDF4FDX</RECEIVER>」は、送信先で生成されるプロセス識別子を表す。
【０１３１】
第１６行目の「<DESCRIPTION>おすすめ番組</DESCRIPTION>」は分類情報であり、このメールが、プロセス中の、どの段階で送信されたメールであるのかを表す。第１７行目の「<APPLICATION>」から第２０行目の「</APPLICATION>」までが、アプリケーション固有のデータであり、このメールを受信することで実行されるアプリケーションにより利用される。
【０１３２】
このようなメールが、図９を参照して説明した処理により生成される。
【０１３３】
次に、図１１のフローチャートを参照して、電気機器５から送信されたメールを受信する携帯機器１の処理について説明する。
【０１３４】
ステップＳ４１において、携帯機器１のメール送受信部４２は、通信部１５を制御し、電気機器５から送信されてきたメールを受信する。例えば、図１０に示されるようなメールがメール送受信部４２により受信される。
【０１３５】
ステップＳ４２において、メール送受信部４２は、メールのヘッダから、メールの送信元である電気機器５のメールアドレスを取得し、ステップＳ４３に進み、次に、メール本文を抽出する。
【０１３６】
メール送受信部４２は、ステップＳ４４において、ヘッダから取得した電気機器５のメールアドレスを鍵情報管理部４５に通知し、電気機器５のメールアドレスに対応付けて登録されている暗号鍵を問い合わせる。図８を参照して説明したように、暗号鍵の登録処理が正常に行われた場合、携帯機器１が生成した暗号鍵は、電気機器５のメールアドレスと対応付けて登録されている（図８のステップＳ６）。
【０１３７】
ステップＳ４５において、鍵情報管理部４５は、電気機器５のメールアドレスに対応付けて、暗号鍵が登録されているか否かを判定し、登録されていないと判定した場合、ステップＳ４６に進み、処理を中止する。このとき、例えば、暗号鍵が登録されていない旨をユーザに通知するメッセージが表示部２０に表示される。
【０１３８】
一方、ステップＳ４５において、鍵情報管理部４５は、電気機器５のメールアドレスに対応付けて、暗号鍵が登録されていると判定した場合、ステップＳ４７に進む。このとき、登録されている暗号鍵が、鍵情報管理部４５から暗号復号処理部４４に提供される。
【０１３９】
ステップＳ４７において、暗号復号処理部４４は、鍵情報管理部４５から提供された暗号鍵を用いて、メール本文のうちの暗号化が施されている制御データを復号する。復号して得られた制御データを含むメール本文は、メール解析部４７に出力される。
【０１４０】
ステップＳ４８において、メール解析部４７は、メール本文を解析し、ステップＳ４９に進み、その内容が正当なものであるか否かを判定する。
【０１４１】
メール解析部４７は、メール本文が正当なものでないと判定した場合、ステップＳ４６に進み、処理を中止させ、一方、正当なものであると判定した場合、ステップＳ５０に進む。
【０１４２】
ステップＳ５０において、プログラム管理部４９は、制御データに含まれるプログラムの識別情報であるURL（図１０の第１２行目に記述されるURL）に基づいて、電気機器５から実行することが指示されているプログラムを携帯機器１が有しているか否かを検索する。ここでは、例えば、URLで指定されるサーバに対するアクセスが行われ、そのサーバが提供するものと同一のプログラムをプログラム管理部４９が管理しているか否か（携帯機器１の記憶部１６に記憶されているか否か）が検索される。
【０１４３】
ステップＳ５１において、プログラム管理部４９は、ステップＳ５０での検索の結果、プログラムがあるか否かを判定し、プログラムがないと判定した場合、ステップＳ５２に進み、ユーザにエラーが生じたことを通知する。なお、エラーが生じたことが通知されることに替えて、URLに基づいてアクセスしたサーバから、そのサーバが提供するプログラムのダウンロードが行われ、ダウンロードされたプログラムに従ってその後の処理が実行されるようにしてもよい。
【０１４４】
一方、ステップＳ５１において、プログラム管理部４９は、ステップＳ５０での検索の結果、プログラムがあると判定した場合、ステップＳ５３に進み、プログラムを起動する。プログラムが起動したとき、そのプログラムに、メールに含まれるアプリケーション固有のデータ（図１０の第１８行目乃至第２０行目のデータ）が与えられ、アプリケーション固有のデータに基づいて、所定の画面が表示される等の所定の処理が実行される。
【０１４５】
これにより、例えば、電気機器５により選択されたおすすめ番組が提示され、ユーザは、その中から録画予約を設定する番組を選択することができる。
【０１４６】
図９を参照して説明したメールの送信処理、および、図１１を参照して説明したメールの受信処理が携帯機器１と電気機器５により行われ、携帯機器１と電気機器５の間でメールの送受信が行われる。
【０１４７】
次に、以上のようなメールの送受信を用いた具体的な処理として、図１２のフローチャートを参照して、携帯機器１と電気機器５により行われる録画予約の設定処理について説明する。
【０１４８】
ステップＳ６１において、電気機器５の番組情報管理部９２は、番組情報受信制御部９０により取得された番組情報から、それぞれの番組の属性情報を取得する。ここでは、例えば、それぞれの番組の番組名や、番組の概要の説明の中から抽出されたキーワードが属性情報として取得される。
【０１４９】
ステップＳ６２において、番組情報管理部９２は、嗜好情報管理部９３が管理するユーザの嗜好情報を取得し、ステップＳ６３に進み、番組の属性情報とユーザの嗜好情報に基づいて、おすすめ番組としてユーザに提示する番組を検索する。例えば、嗜好情報として、「スポーツ」、「お笑い」などのキーワードがユーザにより予め登録されている場合、それらのキーワードを属性情報として含む番組がおすすめ番組として選択される。選択された所定の数のおすすめ番組の情報は、おすすめ番組を通知するメールの送信要求とともに、番組情報管理部９２からメール生成部８６に通知される。
【０１５０】
なお、電気機器５が複数のユーザにより共有されるものである場合、嗜好情報は、それぞれのユーザが有する携帯機器のメールアドレス等の識別情報と対応付けて登録され、おすすめ番組を通知するメールの送信先の機器に応じて、参照される嗜好情報が切り替えられる。
【０１５１】
ステップＳ６４において、メール生成部８６は、おすすめ番組の情報をアプリケーション固有のデータとして含む、図１０に示されるフォーマットのメールを生成する。すなわち、アプリケーション固有のデータにより表されるおすすめ番組の情報にも暗号化が施される。
【０１５２】
ステップＳ６５において、メール送受信部８２は、メール生成部８６により生成されたメールをネットワーク２を介して携帯機器１に送信する。
【０１５３】
携帯機器１のメール送受信部４２は、ステップＳ８１において、電気機器５から送信されてきたメールを受信する。このとき、携帯機器１においては、図１１を参照して説明した処理が実行され、実行するプログラムの検索や、アプリケーション固有のデータに基づく処理等が行われる。
【０１５４】
電気機器５から送信されてきたメールが受信されることに応じて携帯機器１において実行されるアプリケーションプログラム５０は、メールに含まれるアプリケーション固有のデータに基づいて、ステップＳ８２において、電気機器５により選択されたおすすめ番組を表示部２０に表示させる。
【０１５５】
図１３は、表示部２０に表示される画面の例を示す図である。
【０１５６】
例えば、図１３に示されるように、画面に設けられる表示欄１４１には、電気機器５から送信されてきたメールに含まれる可読メッセージである「太郎さんへ  今日はおすすめの番組が３つあるよ！興味があるものを教えてね！」が表示され、その下の各表示欄に、電気機器５により選択されたおすすめ番組の番組名と放送時間帯が表示される。
【０１５７】
図１３の例においては、表示欄１４２に「サッカー日本対韓国」が表示され、表示欄１４３に「ドラマ  八百屋の息子」が表示され、表示欄１４４に「北京２４時間耐久」が表示されている。また、おすすめ番組の下には、表示部２０の表示を直前の画面に切り替えるときに操作される戻るボタン１４５、および、録画予約を設定するためのメールを電気機器５に返信するときに操作される返信ボタン１４６が表示されている。ユーザは、表示されるおすすめ番組の中から、携帯機器１に設けられる十字キーなどを操作することで所定の番組を選択し、続けて返信ボタン１４６を押下することで電気機器５にメールを返信することができる。
【０１５８】
ステップＳ８３において、アプリケーションプログラム５０は、ユーザによる番組の選択を受け付け、返信ボタン１４６が押下されたとき、ステップＳ８４に進み、選択された番組の情報を記憶部１６に記憶させる。また、アプリケーションプログラム５０は、録画予約の設定を電気機器５に要求するメールの生成をメール生成部４６に要求する。
【０１５９】
ステップＳ８５において、メール生成部４６は、電気機器５に対して録画予約の設定を要求するメールを生成する。メール生成部４６には、ユーザにより選択された番組の情報が供給されており、その番組の情報が暗号復号処理部４４により適宜暗号化され、メールに含まれる。録画予約の設定を要求するメールは、メール送受信部４２に出力され、ステップＳ８６において、電気機器５に対して送信される。
【０１６０】
ステップＳ６６において、電気機器５のメール送受信部８２は、携帯機器１から送信されてきたメールを受信する。メール送受信部８２により受信されたメールに対しては、図１１を参照して説明したようにして、暗号化の復号、復号して得られたデータの解析等が施され、ユーザにより選択された番組の情報が取得される。
【０１６１】
ステップＳ６７において、番組情報管理部９２は、期限までに携帯機器１からメールが返信されてきたか否かを判定する。ここで、期限とは、例えば、録画予約の設定を要求する番組の、その放送開始時刻である。例えば、番組の放送開始時刻までに、その番組の録画予約の設定を要求するメールが返信されてこなかった場合、番組情報管理部９２は、ステップＳ６７において、期限までにメールが返信されてこなかったと判定し、ステップＳ６８に進み、おすすめ番組として提示した番組のうち、録画予約を設定することが可能な全ての番組の録画予約を設定する。その後、処理は終了され、録画予約が設定された番組の放送開始時刻になったとき、録画が開始される。
【０１６２】
一方、番組の放送開始時刻までに、その番組の録画予約の設定を要求するメールが返信されてきた場合、番組情報管理部９２は、ステップＳ６７において、期限までにメールが返信されてきたと判定し、ステップＳ６９に進み、番組の情報を予約情報管理部９４に出力し、その番組の録画予約を設定させる。
【０１６３】
録画予約が設定された番組の情報は、嗜好情報管理部９３にも供給されており、嗜好情報管理部９３は、ステップＳ７０において、直前に録画予約を設定した番組の内容に応じてユーザの嗜好情報を更新する。これにより、次回のおすすめ番組の選択の際には、更新された嗜好情報が参照されることになる。
【０１６４】
以上のように、ユーザは、電気機器５から送信されてきたメールをきっかけとして、番組の録画予約の設定を遠隔から行うことができる。また、ユーザは、電気機器５により自分の好みに応じて選択されたものの中から番組を選択し、返信ボタン１４６を押下するなどの簡単な操作だけで録画予約を設定することができる。仮に、電気機器５から自動的にメールが送信されてこないとした場合、番組の録画予約を設定するためには、ユーザは、例えば、携帯機器１から所定のEPGサーバにアクセスし、自分で番組を選択した後、その番組の情報をメールなどに添付して電気機器５に送信する操作などを行う必要があるが、以上のようにして録画予約を設定することができることにより、番組を選択する操作、電気機器５をメールの送信先として選択するなどの、メールを送信する操作を自発的に行う必要がない。
【０１６５】
さらに、電気機器５から送信されるメールに含まれる、おすすめ番組などの個人的な情報は、予め登録されている暗号鍵により暗号化が施されているため、個人情報が漏洩することを防止することができる。
【０１６６】
次に、図１４のフローチャートを参照して、電気機器５により録画が実行され、それが完了したときに、その旨が携帯機器１に対して通知される処理について説明する。
【０１６７】
予約情報管理部９４は、図１２の処理により録画予約が設定された番組の放送開始時刻になったとき、ステップＳ１０１において、録画装置制御部９１を制御して番組の録画を実行させる。番組の録画が完了したとき、録画装置制御部９１からメール生成部８６に対して、録画が完了したことを通知するメールの生成が要求される。
【０１６８】
ステップＳ１０２において、メール生成部８６は、録画が完了したことを通知するメールを生成する。ここで生成されるメールも、図１０に示されるようなフォーマットを有している。すなわち、個人的な情報が漏洩するのを防止するため、録画が完了した番組の情報は、暗号化されてメール本文に含まれる。生成されたメールは、ステップＳ１０３において、メール送受信部８２により携帯機器１に送信される。
【０１６９】
携帯機器１のメール送受信部４２は、ステップＳ１１１において、電気機器５から送信されてきたメールを受信する。受信されたメールは、復号、解析等が施された後、アプリケーションプログラム５０に出力される。
【０１７０】
アプリケーションプログラム５０は、ステップＳ１１２において、メールの解析結果に基づいて、録画が完了した番組の番組名などを表示し、ユーザに提示する。このようなメールが電気機器５から自動的に送信されてくることにより、ユーザは、録画が正常に完了したことを外出先からでも確認することができる。
【０１７１】
アプリケーションプログラム５０は、ステップＳ１１３において、記憶部１６に記憶させている録画済みの番組、録画予約を設定した番組の一覧を更新する。
【０１７２】
図１５は、ユーザによる所定の操作に応じて、表示部２０に表示される番組一覧の表示例を示す図である。
【０１７３】
図１５の例においては、「サッカー日本対韓国」と「サッカーフランス対ドイツ」の番組の録画が完了済みであることが示されている（図中の「（録）」の文字）。また、録画予約が設定されている番組として、「ツール・ナント最終日」、「UK音楽シーン」、「北京２４時間耐久」が示されている（図中の「（予）」の文字）。このような画面から、ユーザは、録画予約を設定している番組などをいつでも確認することができる。なお、画面の下方には、直前の画面に戻るときに操作される戻るボタン１５１と、録画済みの番組の再生を電気機器５に指示するとき操作される見るボタン１５２が表示されている。
【０１７４】
後述するように、見るボタン１５２が押下されたとき、押下されたときにカーソルで選択されている録画済みの番組の再生の指示が、赤外線により携帯機器１から電気機器５に送信される。図１５においては、カーソルが斜線で示されている。
【０１７５】
次に、図１６のフローチャートを参照して、携帯機器１から電気機器５に対して録画済みの番組の再生が指示され、それに応じて番組の再生が行われる処理について説明する。
【０１７６】
この処理は、携帯機器１と電気機器５が近接された状態（携帯機器１の赤外線発光部１８等が電気機器５に向けられた状態）で行われる。
【０１７７】
ステップＳ１２１において、携帯機器１のアプリケーションプログラム５０は、番組一覧からの、再生する番組の選択を受け付ける。ユーザは、例えば、図１５の画面を表示部２０に表示させ、入力部２１を操作することで、一覧の中から、再生する番組を選択する。ユーザにより選択された番組の情報は、アプリケーションプログラム５０から赤外線通信制御部４３に出力される。
【０１７８】
赤外線通信制御部４３は、ステップＳ１２２において、ユーザにより選択された番組の再生を指示する赤外線コマンドを生成し、ステップＳ１２３に進み、赤外線発光部１８を制御して、生成した赤外線コマンドを送信する。
【０１７９】
電気機器５の赤外線通信制御部８３は、ステップＳ１３１において、携帯機器１から赤外線により送信されてきたコマンドを受信する。受信されたコマンドは、番組情報管理部９２に出力される。
【０１８０】
番組情報管理部９２は、ステップＳ１３２において、コマンドが有効なものであるか否か、例えば、再生が指示された番組が録画済みの番組であるか否かを判定し、録画済みの番組でないため有効でないと判定した場合、ステップＳ１３３に進み、エラーメッセージを表示装置６に表示させる。また、番組情報管理部９２は、録画済みの番組の再生が指示されたため、ステップＳ１３２において、コマンドが有効なものであると判定した場合、ステップＳ１３４に進み、録画装置制御部９１に番組の再生を行わせる。これにより、エンコーダ／デコーダ７１によりデコードされた番組の映像と音声が、表示装置６から出力される。
【０１８１】
このように、ユーザは、録画予約を設定するだけでなく、録画した番組の再生を携帯機器１を用いて電気機器５に指示することができる。
【０１８２】
以上においては、ユーザが１人である場合について主に説明したが、例えば、家族などの複数のユーザが電気機器５を共有する場合にも本発明は適用することができる。例えば、携帯電話機などの携帯機器は、それぞれのユーザが所有するものであるから、暗号鍵の登録時に電気機器５に提供される携帯機器の機器識別情報やメールアドレスに基づいて、電気機器５に、それぞれのユーザを識別させることが可能になる。すなわち、携帯機器の機器識別情報に基づいてユーザ毎に番組の嗜好情報を管理させたり、ユーザ毎に異なるおすすめ番組を提案させたりすることができる。
【０１８３】
また、以上においては、携帯機器１が携帯電話機であり、電気機器５がビデオ録画装置である場合について説明したが、当然、PDAやノートブック型のパーソナルコンピュータなどの他の携帯機器に対して、住居などに設置される電気機器から自動的にメールが送信され、それがきっかけとなって、携帯機器から電気機器に対する遠隔操作が開始されるようにしてもよい。
【０１８４】
さらに、以上においては、おすすめ番組を通知するメールが電気機器５から携帯機器１に送信される場合について説明したが、他の各種の情報が、電気機器５から携帯機器１にメールで自動的に通知されるようにしてもよい。例えば、電気機器５の電源の切り忘れや、他人に見られたくない番組として設定していた録画済みの番組が、それを設定したユーザ以外のユーザにより再生されていることなどがメールで通知され、それをきっかけとして携帯機器１から電気機器５を遠隔操作することができるようにしてもよい。
【０１８５】
上述した一連の処理は、ハードウェアにより実行させることもできるが、ソフトウェアにより実行させることもできる。
【０１８６】
一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば、汎用のパーソナルコンピュータなどに、ネットワークや記録媒体からインストールされる。
【０１８７】
この記録媒体は、図６に示されるように、装置本体とは別に、ユーザにプログラムを提供するために配布される、プログラムが記録されている磁気ディスク１１８（フレキシブルディスクを含む）、光ディスク１１９（CD-ROM(Compact Disk-Read Only Memory)，DVD(Digital Versatile Disk)を含む）、光磁気ディスク１２０（MD（登録商標）(Mini-Disk)を含む）、もしくは半導体メモリ１２１などよりなるパッケージメディアにより構成されるだけでなく、装置本体に予め組み込まれた状態でユーザに提供される、プログラムが記録されているROM１１３や、記憶部１１６に含まれるハードディスクなどで構成される。
【０１８８】
なお、本明細書において、記録媒体に記録されるプログラムを記述するステップは、記載された順序に従って時系列的に行われる処理はもちろん、必ずしも時系列的に処理されなくとも、並列的あるいは個別に実行される処理をも含むものである。
【０１８９】
また、本明細書において、システムとは、複数の装置により構成される装置全体を表わすものである。
【図面の簡単な説明】
【０１９０】
【図１】本発明を適用した制御システムの構成例を示す図である。
【図２】携帯機器の構成例を示すブロック図である。
【図３】携帯機器のソフトウエアの構成例を示す図である。
【図４】電気機器の構成例を示すブロック図である。
【図５】電気機器のソフトウエアの構成例を示す図である。
【図６】サーバ装置の構成例を示すブロック図である。
【図７】サーバ装置のソフトウエアの構成例を示す図である。
【図８】暗号鍵の登録処理について説明するフローチャートである。
【図９】メールの送信処理について説明するフローチャートである。
【図１０】メールのフォーマットの例を示す図である。
【図１１】メールの受信処理について説明するフローチャートである。
【図１２】録画予約の設定処理について説明するフローチャートである。
【図１３】表示部に表示される画面の例を示す図である。
【図１４】録画の実行と、録画の完了を通知するメールの送信処理について説明するフローチャートである。
【図１５】表示部に表示される番組一覧の表示例を示す図である。
【図１６】番組の再生処理を説明するフローチャートである。
【符号の説明】
【０１９１】
１  携帯機器，  ２  ネットワーク，  ５  電気機器，  ４２，８２  メッセージ送受信部，  ４３，８３  赤外線通信制御部，  ４４，８４  暗号復号処理部，  ４５，８５  鍵情報管理部，  ４６，８６  メール生成部，  ４７，８７  メール解析部，  ９０  番組情報受信制御部，  ９１  録画装置制御部，  ９２  番組情報管理部，  ９３  嗜好情報管理部，  ９４  予約情報管理部
【図１】
2005086258.tif 000003
【図２】
2005086258.tif 000004
【図３】
2005086258.tif 000005
【図４】
2005086258.tif 000006
【図５】
2005086258.tif 000007
【図６】
2005086258.tif 000008
【図７】
2005086258.tif 000009
【図８】
2005086258.tif 000010
【図９】
2005086258.tif 000011
【図１０】
2005086258.tif 000012
【図１１】
2005086258.tif 000013
【図１２】
2005086258.tif 000014
【図１３】
2005086258.tif 000015
【図１４】
2005086258.tif 000016
【図１５】
2005086258.tif 000017
【図１６】
2005086258.tif 000018